(57)【要約】    【課題】既設のレンジフードにも取り付けが容易で、確実に消火が行えるようにする。    【解決手段】自動消火装彊１は、下方に開ロした箱型形状を有する本体２をマグネット部材５でレンジフードに固定し、本体２の開口部３に外側を中心に下向き回りに開放自在に設けた一対のカバー６を感熱部１０により閉鎖状態に保持する。本体２内には粉末消火剤１６が収納され、粉末消火剤１６の上部に押え板１７を配置してスプリング２０により下方に押圧し、粉末消火剤１６の下部に分散網１８を配置し、更に軸部材２１によりスプリング２０による荷重を感熱部１０により閉鎖状態にある一対のカバー６に加える。感熱部１０が火災の熱で分解すると、カバー６が開き、粉末消火剤１６をレンジ台に落下させて消火する。    【選択図】      図１
2006198228.tif 000002
【特許請求の範囲】
【請求項１】
レンジ台の自動消火装置に於いて、
下方に開口した箱型形状を有する本体と、
前記本体をレンジフードに着脱自在に固定する固定部と、
前記本体の開口部に外側を中心に下向き回りに開放自在に設けた一対のカバーと、
前記一対のカバーを閉鎖状態に保持し、火災による熱を受けて分解して前記閉鎖状態を解除する感熱部と、
前記本体内に収納された粉末消火剤と、
前記粉末消火剤の上部に下降自在に配置され、スプリングにより前記粉末消火剤を下方に押圧する押え板と、
前記粉末消火剤の下部に配置され、前記一対のカバーが開放された際に落下する前記粉末消火剤を分散させる分散部材と、
前記押え板の下部に連結され、前記スプリングの荷重を前記一対のカバーを閉鎖状態に保持している前記感熱部に加える軸部材と、
を備えたことを特徴とする自動消火装置。
【請求項２】
請求項１記載の自動消火装置に於いて、前記固定部はマグネット部材であることを特徴とする自動消火装置。
【請求項３】
請求項１記載の自動消火装置に於いて、前記分散部材は、粗めの網または格子であることを特徴とする自動消火装置。
【発明の詳細な説明】
【技術分野】
【０００１】
本発明は、てんぷら油の加熱等によるレンジの油火災を消火する家庭用レンジ台の自動消火装置に関する。
【背景技術】
【０００２】
従来、住宅の台所に設置される家庭用レンジ台の自動消火装置としては、レンジ台付近に消火剤容器、感熱部及び放射部を設置した自動消火装置が知られている。
【０００３】
例えば特許文献１の消火装置付きレンジフードにあっては、レンジフード内に小型消火器と消火剤噴射装置を組み込んで配管で接続し、火災の熱によって可溶片の溶融により消火剤噴霧装置の噴出口を開いて消火剤を噴射させる。同時にレンジフードから耐火伸縮体を伸張させ、周囲に消火剤を飛散させないようにする。
【０００４】
また特許文献２の消火装置にあっては、ガスコンロの直上に配置される消火ユニット内に消火剤噴出ボンベと噴射ノズルを設けて配管接続し、火災センサーからの検知出力により消火ユニット下部の扉のロックを解除して開き、これによって噴射ノズルから消火剤を炎に向けて噴射するようにしている。また扉を開くことで仕切膜を垂下させて周りを囲み、その中に消火剤を噴射し、周囲への燃え移りを防止し、消火剤を周囲に飛散させないようにする。
【特許文献１】特開平１０−２４６４８２号公報
【特許文献２】特開平５−２００１２７号公報
【発明の開示】
【発明が解決しようとする課題】
【０００５】
しかしながら、このような従来の家庭用レンジ台の自動消火装置にあっては次のような問題がある。まず特許文献１の消火装置にあっては、小型消火器と消火剤噴射装置が別体であり、配管で接続され、レンジフード内に組み込む構造であり、構造が複雑であると同時に既存のレンジフードへの取付けが困難である。
【０００６】
また特許文献２の消火装置にあっては、消火ユニット内に消火剤噴出ボンベを収納しており、このような消火ユニットをレンジフードに取り付けた場合、通常のレンジの使用状態で調理による熱を受けて高温になる可能性があり、ボンベに悪影響を与える恐れがある。またレンジフードの部分は調理による油煙を受けるために環境条件が悪く、消火ユニットの扉内に噴射ノズルを配置していても、油煙を受けてノズルが詰まったような場合には消火剤の噴出に支障を来たす。
【０００７】
本発明は、既設のレンジフードにも取り付けが容易で、確実に消火が行えるレンジ台の自動消火装置を提供することを目的とする。
【課題を解決するための手段】
【０００８】
この目的を達成するため本発明は次のように構成する。本発明によるレンジ台の自動消火装置は、下方に開口した箱型形状を有する本体と、本体をレンジフードに着脱自在に固定する固定部と、本体の開口部に外側を中心に下向き回りに開放自在に設けた一対のカバーと、一対のカバーを閉鎖状態に保持し、火災による熱を受けて分解して閉鎖状態を解除する感熱部と、本体内に収納された粉末消火剤と、粉末消火剤の上部に下降自在に配置され、スプリングにより粉末消火剤を下方に押圧する押え板と、粉末消火剤の下部に配置され、一対のカバーが開放された際に落下する前記粉末消火剤を分散させる分散部材と、押え板の下部に連結され、スプリングの荷重を一対のカバーを閉鎖状態に保持している前記感熱部に加える軸部材とを備えたことを特徴とする。ここで固定部はマグネット部材である。また分散部材は、粗めの網または格子である。
【発明の効果】
【０００９】
本発明によれば、マグネット部材等の固定部により既設のレンジフードであっても簡単に取り付けることができる。
【００１０】
また消火剤として粉末消火剤を本体内に収納し、火災時の感熱部の熱分解によるカバーの開放でレンジ台に向けて粉末消火剤を落下させることで消火しており、ボンベ充填の消火剤の急速噴霧のように周囲に消火剤は飛散することが少なく、火源となる調理鍋の炎に対し上部から粉末消火剤を集中的に落下させることで、短時間で確実に消火することができる。
【００１１】
また消火剤を充填したボンベを使用していないため、レンジフードに取り付けた状態で高温になってもボンベの使用で起きる問題はなく、また油煙を直接受けるという悪い環境条件であってもノズルを使用していないことから、ノズル詰まりの問題も起きない。
【００１２】
また本体に収納した粉末消火剤は温度が高くなる環境に長期間置かれると固形化する恐れがあり、火災時にカバーを開いても粉末消火剤が粉末状態で落下しない恐れがあるが、本発明にあっては、本体内に収納した粉末消火剤の上部に押え板を配置してスプリングにより下方に押圧しており、粉末消火剤が固形化していても、カバー開放時に強制的に落下させることができる。
【００１３】
同時に粉末消火剤の下部に粗めの網や格子を用いた分散部材を配置していることで、固形化している粉末消火剤を崩して粉状に分散させて落下させることができる。
【００１４】
また粉末消火剤の押え板を押すスプリングの力を軸部材によりカバーを閉鎖状態に保持している感熱部に加えることで、カバーを常に開方向に付勢し、火災による熱を受けて感熱部が分解した場合に、確実にカバーを開放して粉末消火剤を放出落下させることができる。
【発明を実施するための最良の形態】
【００１５】
図１は本発明による家庭用レンジ台の自動消火装置の実施形態を一部断面で示した説明である。図１において、本発明の自動消火装置１は下方に開口した箱型形状を有する本体２を持ち、本体２の下部の開口部３に対し外側を中心に下向きに開放自在に一対のカバー６を装着している。
【００１６】
本体２の上部となる裏面側には固定部として、この実施形態にあっては、マグネット部材５が装着されており、マグネット部材５により自動消火装置１をレンジフードの下面となるレンジフード下向き面４ａに吸着固定している。ここでマグネット部材５としては耐熱性の高いコバルト磁石を使用すれば良い。
【００１７】
本体２の下部に装着された一対のカバー６は本体２の両側に張り出したヒンジ７に対し軸８により開放自在に装着されている。カバー６の形状は本体２の下部及び開口部３の外側を覆う上向きに開いた箱型の形状を持ち、カバー６の下側は外側から中央に向けて下がったテーパー形状となっている。
【００１８】
カバー６の中央部には感熱部１０が設けられ、カバー６を閉鎖状態に保持している。感熱部１０のカバー６に対する取り付けはカバー６側に固定した取付片１１に対し集熱板１３の上部にハンダ１４により固着した保持部材１２ａ，１２ｂの上部をボルト１５によるねじ込みで固定している。
【００１９】
本体２の内部には粉末消火剤１６が収納されている。粉末消火剤１６の上部には押え板１７が配置され、下部には分散部材として機能する分散網１８が設置されている。粉末消火剤１６の上部に配置した押え板１７は本体２の内部上面に形成したスプリング収納部１９内に収納したスプリング２０のスプリング荷重を受け、粉末消火剤１６を下向きに押圧している。
【００２０】
粉末消火剤１６の下部に配置した分散網１８は、感熱部１０の熱分解による作動でカバー６を開いて粉末消火剤１６をその自重とスプリング２０による押え板１７による押圧で落下させる際に、網目を通すことで粉末消火剤１６を分散させて落下させる。
【００２１】
この分散網１８を設けたことで粉末消火剤１６が熱や時間の経過に伴って固形化したような場合にあっても、スプリング２０の押え板１７による押圧で分散網１８を通すことで固形化した粉末消火剤１６を粉末状に砕いて落下させることができる。分散網１８としては粉末消火剤１６の落下を妨げることのない目の粗い網を使用する。また分散網１８の代わりに縦長スリットの格子を使用してもよい。
【００２２】
押え板１７の中央下部には軸部材２１が上部のボルトに対するナット２２のねじ込みで固定されている。当接部２３はスプリング２０のスプリング荷重を感熱部１０により閉鎖状態に保持しているカバー６の中央に加えており、これによって感熱部１０が火災による熱をうけてハンダ１４が溶融した際の分解のための荷重を設定している。
【００２３】
このため軸部材２１は、スプリング２０は押え板１７により粉末消火剤１６を押圧すると同時に、カバー６を閉鎖状態に保持する感熱部１０に対し分解に必要な荷重を加えている。
【００２４】
更に本発明の自動消火装置１は図１における横幅が１５乃至２０センチメートル程度であり、内部に収納する粉末消火剤１６の量は比較的少量ですみ、粉末消火剤１６が少量であってもレンジ台に対し集中的に粉末消火剤を落下放出させることで効果的に消火ができる。
【００２５】
尚、粉末消火剤１６は分散網１８の下にも充填しており、カバー６が開くと最初に分散網１８のしたにある粉末消火剤１６が落下し、続いて分散網１８の上の粉末消火剤１６が分散網１８を介して落下する。
【００２６】
図２は本発明の自動消火装置のレンジフードに対する取り付け状態の説明図である。図２において、レンジ台２４上にはレンジ２６が設けられており、右側のレンジ上には調理鍋２５がのせられている。
【００２７】
レンジフード４のレンジフード下向き面４ａには例えば調理鍋２５をのせているレンジに相対して本発明の自動消火装置１を図１に示したマグネット部材５による吸着で固定している。この状態で自動消火装置１は下部の感熱部１０がレンジに乗せた調理鍋２５の油の着火などによる炎に対し感熱動作を行うようにしている。
【００２８】
ここで本発明の自動消火装置１が設置できるレンジフード４としては少なくともレンジ台２４に相対するレンジフード下向き面４ａを持ち、下向き面４ａがマグネット部材５による吸着可能な鉄系金属で作られていれば適宜のレンジフードに適用できる。
【００２９】
図３は本発明による自動消火装置１の作動状態を示した説明図である。図３において、図１の設置状態における感熱部１０の集熱板１３に対し、例えば図２の調理鍋２５の油に引火して炎があがると、炎による熱を受けてハンダ１４が溶融し、例えば右側の保持部材１２ａと集熱板１３の連結が解除される。
【００３０】
これによって感熱部１０が分解し、図３に示すように軸部材２１を介したスプリング２０の伸展により押え板１７により収納している粉末消火剤１６を分散網１８を通して下方に押し出すことで粉末消火剤を落下放出させる。
【００３１】
図４は図２のレンジフード取付状態で本発明の自動消火装置１が作動した状態の説明図であり、レンジ台２４で調理している調理鍋２５の油が着火して炎２７があがり、炎２７の熱を受けて自動消火装置１の感熱部１０が作動して熱分解することでカバー６が開き、内部に収納している粉末消火剤１６が粉末消火剤１６ａのように調理鍋２５の炎２７に向けて効率よく落下散布され確実に消火することができる。
【００３２】
このような粉末消火剤１６の落下放出はカバー６の開放による自重と内蔵したスプリングによる押し出しによる放出であるため、消火ボンベで放出される粉末消火剤のように勢いが強すぎて周囲に広く飛散することはなく、火源となっている調理鍋２５に対し集中的に粉末消火剤を効率よく落下させ、確実に消火することができる。
【００３３】
尚、上記の実施形態にあってはレンジフードに対しマグネット部材５により自動消火装置１を吸着固定する例をとっているが、マグネット部材以外にレンジフード４に対し簡単に取り付けられる取付構造であれば適宜の構造を採用することができる。例えばレンジフード４の下向き面がその開口周囲に張り出しをもったレンジ形状の場合、レンジフード下向き面の周囲の張り出し部分の内側に伸縮自在なフレキシブルパイプを突っ張り固定し、このフレキシブルパイプを使用して本発明の自動消火装置１をレンジフードに取り付けるようにしても良い。
【００３４】
また上記の実施形態にあっては感熱部１０にハンダを使用しているが、ハンダ以外にガラスバブルを使用しても良いし、必要に応じて手動でカバー６を開放できるようにしてよい。
【００３５】
また本発明の自動消火装置１は図２に示したように常時使用するレンジの上部に向かい合わせに設置することが望ましいが、複数のレンジ台を同時に使用する場合にはそれぞれのレンジに対応して複数の自動消火装置１をレンジフードに設置するようにしても良い。
【００３６】
更に本発明の自動消火装置１を設置した場合には定期的に粉末消火剤１６を交換する必要があるが、この場合には粉末消火剤１６をいれかえるよりは別途準備した新たな粉末消火剤１６を収納した別の交換用の自動消火装置１を準備し、これを取り替えるような使い方が望ましい。
【００３７】
更に本発明はその目的と利点を損なうことのない適宜の変形を含み、更に上記の実施形態に示した数値による限定は受けない。
【図面の簡単な説明】
【００３８】
【図１】本発明による自動消火装置の実施形態を一部断面で示した説明図
【図２】本発明の自動消火装置のレンジフードに対する取付状態の説明図
【図３】本発明による自動消火装置の作動状態を示した説明図
【図４】図２のレンジフード取付状態で本発明の自動消火装置が作動した場合の説明図
【符号の説明】
【００３９】
１：自動消火装置
２：本体
３：開口部
４：レンジフード
４ａ：レンジフード下向き面
５：マグネット部材
６：カバー
７：ヒンジ
８：軸
１０：感熱部
１１：取付片
１２ａ，１２ｂ：保持部材
１３：集熱板
１４：ハンダ
１５：ボルト
１６：粉末消火剤
１７：押え板
１８：分散網
１９：スプリング収納部
２０：スプリング
２１：軸部材
２２：ナット
２３：当接部
２４：レンジ台
２５：調理鍋
２６：レンジ
【図１】
2006198228.tif 000003
【図２】
2006198228.tif 000004
【図３】
2006198228.tif 000005
【図４】
2006198228.tif 000006